(57)【要約】【課題】より正確に、被写体がレンズの方向へ視線を向けることを促すことができる撮像装置を提供する。【解決手段】撮像部と、撮影指示を行う指示部と、撮影者が自分撮り撮影を行うための所定の条件を満たしている状態で撮影指示が行われた場合、撮像部までの被写体光の光路上の部材あるいは光路を囲む部材による報知動作を行い、報知動作の後に撮像部による撮影を行うように制御し、所定の条件を満たしていない状態で撮影指示が行われた場合、報知動作を行うことなく撮像部による撮影を行うように制御する制御部とを備える。【選択図】  図２
2019016956.tif 000002
【特許請求の範囲】
【請求項１】
撮像手段と、
撮影指示を行う指示手段と、
撮影者が自分撮り撮影を行うための所定の条件を満たしている状態で前記撮影指示が行われた場合、前記撮像手段までの被写体光の光路上の部材あるいは該光路を囲む部材による報知動作を行い、該報知動作の後に前記撮像手段による撮影を行うように制御し、
前記所定の条件を満たしていない状態で前記撮影指示が行われた場合、前記報知動作を行うことなく前記撮像手段による撮影を行うように制御する制御手段と
を備えることを特徴とする撮像装置。
【請求項２】
前記撮像手段で撮像された画像を表示可能な表示手段であって、表示面を被写体側に向けることが可能な表示手段をさらに備えることを特徴とする請求項１に記載の撮像装置。
【請求項３】
前記表示手段は、ライブビュー画像を表示可能であることを特徴とする請求項２に記載の撮像装置。
【請求項４】
前記所定の条件は、前記表示手段の表示面が被写体側に向いていることを含むことを特徴とする請求項２または３に記載の撮像装置。
【請求項５】
前記制御手段は、セルフタイマー撮影の場合に、前記撮影指示が行われてから撮影が行われるまでの間に、前記報知動作を行うように制御することを特徴とする請求項１乃至４のいずれか１項に記載の撮像装置。
【請求項６】
自分撮り撮影を行うための特定の撮影モードを設定する設定手段をさらに備え、前記所定の条件は、前記設定手段で前記特定の撮影モードに設定されていることを含むことを特徴とする請求項１乃至５のいずれか１項に記載の撮像装置。
【請求項７】
前記制御手段は、装着されているレンズの種類を判定し、判定されたレンズの種類に基づいて前記報知動作の報知の方法を決定することを特徴とする請求項１乃至６のいずれか１項に記載の撮像装置。
【請求項８】
前記報知動作は、前記撮像手段に入射する被写体光の光量を調節する絞りの駆動であって、前記所定の条件を満たさない場合の撮影においては行わない駆動を含むことを特徴とする請求項１乃至７のいずれか１項に記載の撮像装置。
【請求項９】
前記報知動作は、前記撮像手段への光路の開閉を行うシャッターの駆動であって、前記所定の条件を満たさない場合の撮影においては行わない駆動を含むことを特徴とする請求項１乃至８のいずれか１項に記載の撮像装置。
【請求項１０】
前記報知動作は、撮影レンズのズーム駆動であって、前記所定の条件を満たさない場合の撮影においては行わない駆動を含むことを特徴とする請求項１乃至９のいずれか１項に記載の撮像装置。
【請求項１１】
前記報知動作は、被写体光の光路を変更するミラーの駆動であって、前記所定の条件を満たさない場合の撮影においては行わない駆動を含むことを特徴とする請求項１乃至１０のいずれか１項に記載の撮像装置。
【請求項１２】
被写体像を光学的に観察する光学ファインダーと、該光学ファインダーから入射する光の明るさを検出する検出手段とをさらに備え、前記所定の条件を満たし、かつ、前記検出手段により、前記光学ファインダーから入射する光の明るさが所定の値よりも明るいことが検出された場合に、前記報知動作として前記ミラーの駆動を行うように制御することを特徴とする請求項１１に記載の撮像装置。
【請求項１３】
前記制御手段は、前記報知動作を行っている間は、前記ライブビュー画像の更新を停止することを特徴とする請求項３に記載の撮像装置。
【請求項１４】
撮像手段と、撮影指示を行う指示手段と、を備える撮像装置を制御する方法であって、
撮影者が自分撮り撮影を行うための所定の条件を満たしている状態で前記撮影指示が行われた場合、前記撮像手段までの被写体光の光路上の部材あるいは該光路を囲む部材による報知動作を行い、該報知動作の後に前記撮像手段による撮影を行うように制御し、
前記所定の条件を満たしていない状態で前記撮影指示が行われた場合、前記報知動作を行うことなく前記撮像手段による撮影を行うように制御する制御工程を有することを特徴とする撮像装置の制御方法。
【請求項１５】
コンピュータを、請求項１乃至１３のいずれか１項に記載の撮像装置の各手段として機能させるためのプログラム。
【請求項１６】
コンピュータを、請求項１乃至１３のいずれか１項に記載の撮像装置の各手段として機能させるためのプログラムを格納したコンピュータが読み取り可能な記憶媒体。
【発明の詳細な説明】
【技術分野】
【０００１】
本発明は、撮像装置において自分撮りをアシストする技術に関するものである。
【背景技術】
【０００２】
従来、ユーザーが撮像装置を用いて自分撮りを行う際には、撮像装置に付属するモニタの表示面をユーザー側に向け、モニタのライブビュー画像を見ながら構図の確認を行っていた。しかし、この時、ユーザーの視線はモニタの表示面に向くため、特に手持ち撮影による自分撮りを行う場合は、レンズの光軸の方向とモニタの表示方向とに角度差が発生し、失敗写真となることが多かった。
【０００３】
従来、撮像装置に関し、撮影指示の操作タイミングに対して意図的にずらしたタイミングで撮影処理を実行すると共に、被写体に対して視聴覚に感応する報知を行う技術が特許文献１に開示されている。
【先行技術文献】
【特許文献】
【０００４】
【特許文献１】特開２０１１−４５０１２号公報
【発明の概要】
【発明が解決しようとする課題】
【０００５】
しかしながら、上述の特許文献１に開示された従来技術では、被写体の注意をカメラに向けることはできても、視線をカメラのレンズに正確に向けさせることができるとは限らない。そのため、ライブビュー画像を見ながら撮影を行う際に、ユーザーの視線がモニタに向いてしまい、カメラのレンズの光軸からずれてしまうという問題がある。
【０００６】
そこで、本発明の目的は、より正確に、被写体がレンズの方向へ視線を向けることを促すことができる撮像装置を提供することである。
【課題を解決するための手段】
【０００７】
本発明に係わる撮像装置は、撮像手段と、撮影指示を行う指示手段と、撮影者が自分撮り撮影を行うための所定の条件を満たしている状態で前記撮影指示が行われた場合、前記撮像手段までの被写体光の光路上の部材あるいは該光路を囲む部材による報知動作を行い、該報知動作の後に前記撮像手段による撮影を行うように制御し、前記所定の条件を満たしていない状態で前記撮影指示が行われた場合、前記報知動作を行うことなく前記撮像手段による撮影を行うように制御する制御手段とを備えることを特徴とする。
【発明の効果】
【０００８】
本発明によれば、より正確に、被写体がレンズの方向へ視線を向けることを促すことが可能となる。
【図面の簡単な説明】
【０００９】
【図１】第１の実施形態のデジタルカメラの外観図。
【図２】第１の実施形態のデジタルカメラのブロック図。
【図３】デジタルカメラのバリアングルモニタ部の状態を示す図。
【図４】第１の実施形態のデジタルカメラの動作を示すフローチャート。
【図５】撮影動作のサブルーチンを示すフローチャート。
【図６】第１の実施形態の視聴覚報知のサブルーチンを示すフローチャート。
【図７】第３の実施形態の視聴覚報知のサブルーチンを示すフローチャート。
【発明を実施するための形態】
【００１０】
以下、本発明の実施形態について、添付図面を参照して詳細に説明する。
【００１１】
（第１の実施形態）
図１は、本発明の撮像装置の第１の実施形態であるデジタルカメラの外観図である。図１（ａ）はデジタルカメラ１００の前面斜視図であり、図１（ｂ）はデジタルカメラ１００の背面斜視図である。
【００１２】
図１において、表示部１２８は、画像や各種情報を表示する、デジタルカメラ１００の背面に設けられたＬＣＤなどの表示デバイスである。また、表示部１２８は、静止画撮影後の静止画再生や記録中の動画表示、及びライブビュー表示機能（ライブビュー画像を表示可能）を併せ持っている。また、表示部１２８は、バリアングルモニタ部１２６に配置されている。バリアングルモニタ部１２６は表示部１２８が配置された筐体であり、ヒンジ部１２７を介してデジタルカメラ１００の本体部に回動可能に接続されている。バリアングルモニタ部１２６を回動させて表示部１２８の表示面が被写体側に向くようにすることにより、ユーザーは、例えば自分撮りを行う場合に、自分の顔の写り方を表示部１２８のライブビュー表示で確認しながら撮影を行うことができる。バリアングルモニタ部１２６がデジタルカメラ１００に対してどのように回動するかの詳細については後述する。
【００１３】
シャッターボタン１６１は撮影指示を行うための操作部である。モード切替スイッチ１６０は各種モードを切り替えるためのダイヤル式の操作部である。端子カバー１４０は外部機器とカメラ１００をＵＳＢなどのケーブルを介して接続するためのコネクタ（不図示）を保護するカバー部材である。メイン電子ダイヤル１７１は図２で後述する操作部２７０に含まれる回転操作部材であり、このメイン電子ダイヤル１７１を回すことにより、シャッター速度や絞り値などの設定値を変更することができる。
【００１４】
電源スイッチ１７２はカメラ１００の電源のオン／オフを切り替えるための操作部材である。サブ電子ダイヤル１７３も図２で後述する操作部２７０に含まれる回転操作部材であり、選択枠の移動や画像送りなどを行うことができる。十字キー１７４も図２で後述する操作部２７０に含まれる移動指示部材であり、上、下、左、右のいずれかを押し込むことにより、十字キー１７４の押した部分に応じた操作が可能となる。
【００１５】
ＳＥＴボタン１７５も図２で後述する操作部２７０に含まれる押しボタンであり、主に選択項目の決定などに用いられる。ライブビューボタン１７６も図２で後述する操作部２７０に含まれる押しボタンであり、静止画撮影モードではライブビュー表示のオン／オフを切り替え、動画記録モードでは動画撮影（記録）の開始や停止の指示に使用される。拡大ボタン１７７も図２で後述する操作部２７０に含まれる押しボタンであり、ライブビュー中における拡大表示のオン／オフ、及び拡大表示中の拡大率の変更を行うための操作部材である。また、拡大ボタン１７７は、再生モードでは再生画像を拡大し、拡大率を増加させることができる。縮小ボタン１８０も後述する操作部２７０に含まれる押しボタンであり、拡大された再生画像の拡大率を減少させ、画面を縮小表示するための操作部材である。
【００１６】
再生ボタン１７８も図２で後述する操作部２７０に含まれる押しボタンであり、撮影モードと再生モードとを切り替えるための操作部材である。撮影モード中に再生ボタン１７８を押下することにより再生モードに移行し、図２で後述する記録媒体２９９に記録された画像のうち最新の画像を表示部１２８に表示することができる。ＭＥＮＵボタン１７９も図２の操作部２７０に含まれる押しボタンであり、撮影モードとメニューモードとを切り替えるための操作部材である。ＭＥＮＵボタン１７９を押して表示部１２８にメニュー画面を表示させることにより、ユーザーはメニュー画面を用いて、後述するセルフタイマー撮影モードや、自分撮り撮影モードを設定することができる。
【００１７】
クイックリターンミラー２１２は、図２で後述するシステム制御部２５０の指示に応じて、不図示のアクチュエータによってアップ位置（露光及びライブビュー位置）又はダウン位置（光学ファインダー位置）に駆動される。通信端子２１０はカメラ１００がレンズユニット２００（図２）と通信を行うための電気的接点である。覗き込み型の接眼ファインダー２１６はフォーカシングスクリーン２１３（図２）を観察することで、レンズユニット２００により結像された被写体像の焦点や構図の確認を行うための光学部材である。蓋１８０はカメラ１００に対して記録媒体２９９を着脱するためにスロットを開閉する部材である。グリップ部１９０は、ユーザーがカメラ１００を構えた際に右手で握りやすい形状を有する。フラッシュ１１９はデジタルカメラ１００に内蔵された閃光装置である
図２は、本実施形態のデジタルカメラ１００の内部構成を示すブロック図である。
【００１８】
図２において、レンズユニット２００は撮影レンズ２０９を搭載し、カメラ１００に対して着脱可能である。撮影レンズ２０９は通常、複数枚のレンズから構成されるが、ここでは簡略して１枚のレンズのみで示している。通信端子２０６はレンズユニット２００がカメラ１００と通信を行うための電気的接点である。通信端子２１０はカメラ１００がレンズユニット２００と通信を行うための電気的接点である。レンズユニット２００は、通信端子２０６を介してシステム制御部２５０と通信する。そして、内蔵されたレンズ制御部２０４が絞り駆動回路２０２を制御して光量を調節する絞り２０８を駆動し、ＡＦ駆動回路２０３を制御して撮影レンズ２０９の位置を変位させることにより焦点を合わせる。発光制御部２０５は、発光体２０７を制御する回路であり、発光体２０７の発光タイミング、発光量の調整を行う。発光体２０７はＬＥＤ発光タイプ、閃光発光タイプなどいずれのものでもよい。
【００１９】
ＡＥセンサ２１７は、レンズユニット２００を介して取り込んだ被写体の輝度を測光する。焦点検出部２１１は、システム制御部２５０にデフォーカス量を出力し、システム制御部２５０はデフォーカス量に応じてレンズユニット２００と通信し、位相差検出方式でのオートフォーカス処理を行う。
【００２０】
クイックリターンミラー２１２は、露光、ライブビュー表示、動画撮影の際にシステム制御部２５０から指示を受けて、不図示のアクチュエータによってアップ位置又はダウン位置に駆動される。クイックリターンミラー２１２は、撮影レンズ２０９から入射した光束を接眼ファインダー２１６又は撮像部２２２へ切り替える。クイックリターンミラー２１２は通常、光束を反射して接眼ファインダー２１６へ光束を導くようダウン位置に付勢されているが、露光やライブビュー表示では、撮像部２２２へ光束を導くように上方に跳ね上がり光路中から待避する（アップ位置）。また、クイックリターンミラー２１２は、光束の一部が透過して焦点検出部２１１に入射するように、中央部がハーフミラーとなっている。撮影者は、ペンタプリズム２１４と接眼ファインダー２１６を介して、フォーカシングスクリーン２１３を観察することで、レンズユニット２００を介して取り込んだ被写体の光学像の焦点や構図の確認が可能となる。
【００２１】
フォーカルプレーンシャッター２２１は、システム制御部２５０の指示に応じて撮像部２２２の露光時間を制御する。撮像部２２２は被写体の光学像を電気信号に変換するＣＣＤやＣＭＯＳセンサ等の撮像素子を有する。Ａ／Ｄ変換器２２３は、撮像部２２２から出力されるアナログ信号をデジタル信号に変換して画像データを生成する。なお、撮像部２２２に配置されている撮像素子は、多数の単位画素を有し、且つそれぞれの単位画素が複数の光電変換部を有している。そして、単位画素内の複数の光電変換部から出力される信号の位相差を検出することにより、撮像面での位相差検出方式のオートフォーカスが可能である。この構成により、本実施形態のカメラ１００では、ライブビュー表示を行っている状態でも位相差検出方式のオートフォーカスを行うことができる。あるいは、ライブビュー表示中には、位相差方式に限らず、撮像素子から得られる画像信号のコントラストを検出して、コントラスト検出方式のオートフォーカスを行うことも可能である。
【００２２】
画像処理部２２４は、Ａ／Ｄ変換器２２３からのデータ、又は、メモリ制御部２１５からのデータに対して所定の画素補間、縮小といったリサイズ処理や色変換処理を行う。また、画像処理部２２４では、撮像した画像データを用いて所定の演算処理が行われ、システム制御部２５０は演算結果に基づいて露光制御、オートフォーカス制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２２４では更に、撮像した画像データを用いて所定の演算処理を行い、演算結果に基づいてＴＴＬ方式のＡＷＢ（オートホワイトバランス）処理も行っている。
【００２３】
Ａ／Ｄ変換器２２３から出力される画像データは、画像処理部２２４及びメモリ制御部２１５を介して、あるいは、メモリ制御部２１５を介してメモリ２３２に直接書き込まれる。メモリ２３２は、撮像部２２２及びＡ／Ｄ変換器２２３から得られる画像データや、表示部１２８に表示するための画像表示用のデータを格納する。メモリ２３２は、所定枚数の静止画や所定時間の動画及び音声を格納するのに十分な記憶容量を備えている。また、メモリ２３２は画像表示用のメモリ（ビデオメモリ）を兼ねている。
【００２４】
Ｄ／Ａ変換器２２５は、メモリ２３２に格納されている表示用の画像データをアナログ信号に変換して表示部１２８に供給する。メモリ２３２に書き込まれた表示用の画像データはＤ／Ａ変換器２２５を介して表示部１２８により表示される。表示部１２８は、Ｄ／Ａ変換器２２５からのアナログ信号に応じた表示を行う。このように、メモリ２３２に格納されたデジタル信号をアナログ信号に変換し、表示部１２８に逐次転送して表示することにより、電子ビューファインダー（ＥＶＦ）機能を実現し、ライブビュー表示（ＬＶ表示）を行うことができる。表示部１２８は、図１で説明したように、バリアングルモニタ部１２６に配置されている。
【００２５】
ここで、バリアングルモニタ部１２６について図３を参照して説明する。バリアングルモニタ部１２６は、デジタルカメラ１００の本体部に対して図３に示すような位置に移動可能であり、システム制御部２５０は、バリアングルモニタ部１２６がどの位置に位置しているかを検知可能である。具体的には、バリアングルモニタ部１２６は、次のような位置に移動可能である。
（１）表示部１２８の表示面が露出するように折りたたまれた図３（ａ）に示す位置（第１の位置）。
（２）表示部１２８の表示面がデジタルカメラ１００の正面（被写体光が入射するレンズが備えられた面）を向き、撮像される被写体側から表示部１２８の表示面を視認可能なように開かれた図３（ｄ）に示す対面位置（第２の位置）。
（３）表示部１２８の表示面がデジタルカメラ１００の背面側から視認可能なように開かれた図３（ｃ）に示す開位置（第３の位置）。
（４）表示部１２８の表示面がデジタルカメラ１００の背面１２９に対向し、表示部１２８の表示面が見えないように折りたたまれた図３（ｂ）に示す閉位置（第４の位置）。
【００２６】
撮影者は、撮影の都合に合わせて、バリアングルモニタ部１２６を上記の（１）〜（４）のいずれかの位置に移動させる。特に撮影者が自分撮りを行う場合には、通常、上記の（２）の図３（ｄ）に示す対面位置にバリアングルモニタ部１２６を移動させ、ライブビュー画面を見ながら撮影を行うことになる。
【００２７】
図２の説明に戻って、不揮発性メモリ２５６は、電気的に消去・記録可能な、例えばＥＥＰＲＯＭなどである。不揮発性メモリ２５６には、システム制御部２５０の動作用の定数、プログラム等が記憶されている。ここでいうプログラムとは、後述する各種フローチャートを実行するためのプログラムのことである。
【００２８】
システム制御部２５０は、カメラ１００全体を統括して制御するＣＰＵやＭＰＵを備え、不揮発性メモリ２５６に格納されたプログラムを実行することで、後述するフローチャートの各処理を実現する。システムメモリ２５２はＲＡＭなどからなり、システム制御部２５０の動作用の定数、変数、不揮発性メモリ２５６から読み出したプログラムなどを展開するワークメモリとしても使用される。また、システム制御部２５０は、メモリ２３２、Ｄ／Ａ変換器２２５、表示部１２８などを制御することにより表示制御も行う。システムタイマー２５３は各種制御に用いる時間や、内蔵時計の時間を計測する計時部である。フラッシュ制御回路２５４は、フラッシュ１１９を制御し、フラッシュ１１９のポップアップや発光タイミング、発光量の調整を行う。
【００２９】
モード切替スイッチ１６０、第１シャッタースイッチ２６２、第２シャッタースイッチ２６４、操作部２７０はシステム制御部２５０に各種の指示を入力するための操作手段である。モード切替スイッチ１６０は、システム制御部２５０の動作モードを、静止画撮影モード、動画記録モード、再生モードのいずれかに切り替える。静止画撮影モードに含まれるモードとしては、オート撮影モード、オートシーン判別モード、マニュアルモード、絞り優先モード（Ａｖモード）、シャッター速度優先モード（Ｔｖモード）、撮影シーン別の撮影設定となる各種シーンモード、プログラムＡＥモード、カスタムモードなどがある。
【００３０】
モード切替スイッチ１６０で、静止画撮影モードに含まれる複数のモードのいずれかに直接切り替える。あるいは、モード切替スイッチ１６０で静止画撮影モードに一旦切り替えた後に、静止画撮影モードに含まれる複数のモードのいずれかに他の操作部材を用いて切り替えるようにしてもよい。同様に、動画記録モードや再生モードにも複数のモードが含まれていてもよい。また、モード切替スイッチ１６０は、後述する自分撮り撮影モードを設定することも可能に構成されている。
【００３１】
第１シャッタースイッチ２６２は、カメラ１００に設けられたシャッターボタン１６１の操作途中、いわゆる半押し（撮像準備指示）でオンとなり、第１シャッタースイッチ信号ＳＷ１を発生する。システム制御部２５０は、第１シャッタースイッチ信号ＳＷ１を受けると、画像処理部２２４に、ＡＦ処理、ＡＥ処理、ＡＷＢ処理、ＥＦ処理などを開始させる。
【００３２】
第２シャッタースイッチ２６４は、シャッターボタン１６１の操作完了、いわゆる全押し（撮像指示）でオンとなり、第２シャッタースイッチ信号ＳＷ２を発生する。システム制御部２５０は、第２シャッタースイッチ信号ＳＷ２を受けて、撮像部２２２からの信号読み出しから記録媒体２９９に画像データを書き込むまでの一連の撮影処理を開始する。
【００３３】
操作部２７０は、ユーザからの操作を受け付けて、システム制御部２５０へ通知する入力部であり、少なくとも以下の操作部材が含まれる。シャッターボタン１６１、メイン電子ダイヤル１７１、電源スイッチ１７２、サブ電子ダイヤル１７３、十字キー１７４、ＳＥＴボタン１７５、ライブビューボタン１７６、拡大ボタン１７７、再生ボタン１７８、縮小ボタン１８０。
【００３４】
電源制御部２８０は、電池検出回路、ＤＣ−ＤＣコンバータ、通電するブロックを切り替えるスイッチ回路等により構成され、電池の装着の有無、電池の種類、電池残量の検出を行う。また、電源制御部２８０は、その検出結果及びシステム制御部２５０の指示に基づいてＤＣ−ＤＣコンバータを制御し、必要な電圧を必要な期間、記録媒体２９９を含む各部へ供給する。
【００３５】
電源部２３０は、アルカリ電池やリチウム電池等の一次電池、ＮｉＣｄ電池やＮｉＭＨ電池やＬｉイオン電池等の二次電池、ＡＣアダプタ等からなる。記録媒体Ｉ／Ｆ２１８は、メモリカードやハードディスク等の記録媒体２９９とのインターフェースである。記録媒体２９９は、撮影された画像を記録するためのメモリカード等の記録媒体であり、半導体メモリや磁気ディスク等から構成される。通信制御部２８２は、アクセサリーユニット２８５の機能を利用するために通信方法の確立や情報通信を行う。アクセサリーユニット２８５については後述する。
【００３６】
なお、本実施形態では、操作部２７０の一つとして、表示部１２８に対する接触を検知可能なタッチパネル１２８ａを有する。タッチパネル１２８ａと表示部１２８とは一体的に構成することができる。例えば、タッチパネル１２８ａを光の透過率が表示部１２８の表示を妨げないように構成し、表示部１２８の表示面の上層に取り付ける。そして、タッチパネル１２８ａにおける入力座標と、表示部１２８上の表示座標とを対応付ける。これにより、あたかもユーザーが表示部１２８上に表示された画面を直接的に操作可能であるかのようなＧＵＩ（グラフィカルユーザーインターフェース）を構成することができる。システム制御部２５０はタッチパネル１２８ａへの以下の操作、あるいは状態を検出することができる。
（１）タッチパネル１２８ａを指やペンで触れたこと（以下、タッチダウン（Touch-Down）と称する）。
（２）タッチパネル１２８ａを指やペンで触れている状態であること（以下、タッチオン（Touch-On）と称する）。
（３）タッチパネル１２８ａを指やペンで触れたまま移動していること（以下、タッチムーブ（Touch-Move）と称する）。
（４）タッチパネル１２８ａへ触れていた指やペンを離したこと（以下、タッチアップ（Touch-Up）と称する）。
（５）タッチパネル１２８ａに何も触れていない状態（以下、タッチオフ（Touch-Off）と称する）。
【００３７】
これらの操作・状態や、タッチパネル１２８ａ上に指やペンが触れている位置座標は内部バスを通じてシステム制御部２５０に通知され、システム制御部２５０は通知された情報に基づいてタッチパネル１２８ａ上にどのような操作が行なわれたかを判定する。タッチムーブについてはタッチパネル１２８ａ上で移動する指やペンの移動方向についても、位置座標の変化に基づいて、タッチパネル１２８ａ上の垂直成分・水平成分毎に判定できる。またタッチパネル１２８ａ上をタッチダウンから一定のタッチムーブを経てタッチアップをしたとき、ストロークを描いたこととする。
【００３８】
素早くストロークを描く操作をフリックと呼ぶ。フリックは、タッチパネル１２８ａ上に指を触れたままある程度の距離だけ素早く動かして、そのまま離すといった操作であり、言い換えればタッチパネル１２８ａ上を指ではじくように素早くなぞる操作である。所定距離以上を、所定速度以上でタッチムーブしたことが検出され、そのままタッチアップが検出されるとフリックが行なわれたと判定できる。また、所定距離以上を、所定速度未満でタッチムーブしたことが検出された場合はドラッグが行なわれたと判定するものとする。またタッチパネル１２８ａ上をタッチダウンからタッチムーブすることなく素早くタッチアップすることをタップと呼ぶ。タップを素早く２回連続して行なうことをダブルタップと呼ぶ。
【００３９】
また、タッチパネルに対して２点（２カ所）に同時にタッチしている状態で、２点間の距離を狭め、その後、タッチアップを行なう操作をピンチインと呼ぶ。つまり、ピンチインは、タッチパネル１２８ａ上の２点に指を触れたまま指同士を近づけた後に、タッチパネル１２８ａから指を離す操作である。換言すれば、ピンチインは、２本の指でタッチパネル１２８ａ下に表示されている画像等のオブジェクトをつまむようにタッチパネル１２８ａをなぞる操作である。ピンチインとは逆に、２点を同時に指又はペンでタッチしている状態で、２点間の距離を広げ、その後、タッチアップを行なう操作をピンチアウトと呼ぶ。タッチパネル１２８ａは、抵抗膜方式や静電容量方式、表面弾性波方式、赤外線方式、電磁誘導方式、画像認識方式、光センサ方式等、様々な方式のうちいずれの方式のものを用いてもよい。
【００４０】
次に、図２の説明に戻って、アクセサリーユニット２８５について説明する。アクセサリーユニット２８５は、デジタルカメラ１００の機能を拡張するためのフラッシュ、ＬＥＤライトなどの発光デバイスを搭載するユニットである。また、アクセサリーユニット２８５は、レンズユニット２００の外周部に装着可能なアタッチメント型のユニットである。言い換えるとアクセサリーユニット２８５は、撮像部２２２までの被写体光の光路上あるいは光路を囲む位置に上記の発光デバイスなどの部材を保持している。
【００４１】
アクセサリーユニット２８５において、不揮発性メモリ２９２は、電気的に消去・記録可能なメモリであり、例えばＥＥＰＲＯＭ等が用いられる。不揮発性メモリ２９２には、制御部２８４の動作用の定数、プログラム等が記憶される。ここでいう、プログラムとは、本実施形態で後述する各種フローチャートを実行するためのプログラムのことである。制御部２８４は、アクセサリーユニット２８５全体を制御する。
【００４２】
発光制御部２９４は、発光体２９６を制御し、発光体２９６の発光タイミング、発光量の調整を行う。発光体２９６は、ＬＥＤ発光タイプ、閃光発光タイプなどいずれのものでもよい。
【００４３】
電源スイッチ２８６は、ユーザーからの操作を受け付ける操作部材である。電源制御部２８８は、電池検出回路、ＤＣ−ＤＣコンバータ、通電するブロックを切り替えるスイッチ回路等により構成され、電池の装着の有無、電池の種類、電池残量の検出を行う。また、電源制御部２８８は、その検出結果及び制御部２８４の指示に基づいてＤＣ−ＤＣコンバータを制御し、必要な電圧を必要な期間、各部へ供給する。バッテリー２９０は、ＮｉＣｄ電池やＮｉＭＨ電池やＬｉイオン電池等の充電可能な２次電池からなる。また、バッテリー２９０は、プラス電圧線（＋）、マイナス電圧線（−）の各線を持ち、プラス電圧線（＋）、マイナス電圧線（−）は、電源制御部２８８に接続される。通信制御部２９８は、アクセサリーユニット２８５の機能を提供するために、デジタルカメラ１００との通信方法の確立や情報通信を行う。
【００４４】
次に、上記のように構成される撮像装置の動作について説明する。図４は、本実施形態の撮像装置の撮影動作を示すフローチャートである。このフローチャートにおける各処理はシステム制御部２５０が不揮発性メモリ２５６に格納されたプログラムをシステムメモリ２５２に展開して実行することにより実現される。
【００４５】
まず、Ｓ４０２では、システム制御部２５０は、表示部１２８にライブビュー画像の表示を開始させる。Ｓ４０４では、システム制御部２５０は、シャッターボタン１６１が半押しされて第１シャッタースイッチ２６２（ＳＷ１）がオンされたか否かを判定する。第１シャッタースイッチ２６２がオンされていない場合は、そのまま待機し、オンされている場合は、Ｓ４０６に進む。
【００４６】
Ｓ４０６では、システム制御部２５０は、撮像素子の撮像面オートフォーカス（撮像面ＡＦ）の方式に合わせてＡＦ処理（オートフォーカス処理）を行い、同時にＡＥ処理（自動露出処理）も行う。Ｓ４０８では、システム制御部２５０は、表示部１２８にライブビュー画像の表示を行わせる。なお、すでにライブビュー画像が表示されている場合は、表示内容の変更はしない。
【００４７】
Ｓ４１０では、システム制御部２５０は、シャッターボタン１６１が全押しされて第２シャッタースイッチ２６４（ＳＷ２）がオンされたか否かを判定する。第２シャッタースイッチ２６４がオンされている場合はＳ４１１に進み、オンされていない場合はＳ４１２に進む。Ｓ４１１では、システム制御部２５０は、図５に示す撮影処理のサブルーチンを実行する。図５の撮影処理の動作については後述する。
【００４８】
Ｓ４１２では、システム制御部２５０は、第１シャッタースイッチ２６２がオンされているか否かを判定する。第１シャッタースイッチ２６２がオンされている場合は、Ｓ４０８に戻って、Ｓ４０８〜Ｓ４１２の処理を繰り返す。第１シャッタースイッチ２６２がオンされていない場合は、Ｓ４１４に進む。
【００４９】
Ｓ４１４では、システム制御部２５０は、撮像部２２２からの信号の読み出しから記録媒体２９９に画像データを書き込むまでの一連の撮影処理がＳ４１１において実施されたか、つまり１枚以上の撮影が行われたか否かを判定する。撮影処理が実施された場合はＳ４１６に進み、実施されていない場合はフローチャートを終了する。
【００５０】
Ｓ４１６では、システム制御部２５０は、最後に撮影した画像について、メモリ２３２に格納された表示用の画像データ（クイックレビュー画像）を表示部１２８に表示し、フローチャートを終了する。
【００５１】
次に、図５は、図４のＳ４１１で実行される撮影処理の動作を示すフローチャートである。
【００５２】
まず、Ｓ５０２では、システム制御部２５０は、撮影モードがセルフタイマー撮影モードに設定されているか否かを判定する。セルフタイマー撮影モードに設定されていない場合は、Ｓ５０４に進み、セルフタイマー撮影モードに設定されている場合はＳ５１０に進む。
【００５３】
Ｓ５０４では、システム制御部２５０は、撮像部２２２の露光及び信号読み出しから記録媒体２９９に画像データを書き込むまでの一連の撮影処理の動作を実行する。Ｓ５０６では、システム制御部２５０は、表示部１２８にライブビュー画像の表示を行わせる。
【００５４】
Ｓ５０８では、システム制御部２５０は、第２シャッタースイッチ２６４がオンされているか否かを判定する。第２シャッタースイッチ２６４がオンされている場合は、そのまま待機し、第２シャッタースイッチ２６４がオンされていない場合は、図４のメインルーチンのＳ４１２にリターンする。このＳ５０４〜Ｓ５０８の動作により、セルフタイマー撮影モードではない通常の撮影モードでの撮影が行われる。
【００５５】
一方、Ｓ５０２においてセルフタイマー撮影モードに設定されていた場合は、Ｓ５１０において、システム制御部２５０は、システムタイマー２５３のカウントを開始する。なお、このセルフタイマーは、撮影の指示から予め設定された遅延時間だけ撮影を遅延させるものであり、この遅延時間（カウント時間）は、例えば、２秒〜１０秒程度に設定される。あるいは、ユーザーが好みの時間を設定できるようにしてもよい。
【００５６】
Ｓ５１２では、システム制御部２５０は、撮影条件が、撮影者が自分撮り撮影を行うための所定の条件を満たしているか否かを判定する。ここで、撮影者が自分撮り撮影を行うための所定の条件とは、例えば以下の（ａ）、（ｂ）である。
（ａ）表示部１２８の表示面が被写体側（自分撮りの場合は撮影者側）を向いた図３（ｄ）に示す対面位置に設定されている。
（ｂ）モード切替スイッチにより、撮影モードが特定の撮影モード、例えば自分撮り撮影モードに設定されている。
そして、Ｓ５１２において上記の条件（ａ），（ｂ）のいずれかを満たしている場合には、Ｓ５１４に進み、そうでなければ、Ｓ５１６に進む。
【００５７】
Ｓ５１４では、システム制御部２５０は、図６に示す視聴覚報知のサブルーチンを実行する。
【００５８】
図６の視聴覚報知の動作については後に詳述するが、ここで、その必要性について概略的に説明する。自分撮りを行う場合には、ユーザーはデジタルカメラ１００およびレンズユニット２００の正面（被写体光が入射するレンズが備えられた面）に立つ。そして、バリアングルモニタ部１２６を、表示面を視認可能なように開かれた対面位置（前述した第２の位置）に動かし、表示面のライブビュー画像を見ながら撮影を行う。この際にユーザーの視線がモニタの表示面に向いていると、視線が撮影光軸からずれてしまう。そのため、よそ見をしたような撮影画像となってしまう。そこで、ユーザーの視線が撮影光軸の方向を向くように促す視聴覚報知を行うことが有効と考えられる。Ｓ５１４では、撮影の直前に、この視聴覚報知を行い、ユーザーの注意を引いてユーザーの視線をレンズに向かせるように促す。この視聴覚報知は、通常の撮影では敢えて行う必要はなく、自分撮り撮影を行う場合に特に有効な動作である。
【００５９】
Ｓ５１６では、システム制御部２５０は、システムタイマー２５３が一定値以上になりタイマーが満了したか否か（設定されたセルフタイマーの遅延時間が経過したか否か）を判定する。タイマーが満了した場合にはＳ５１８に進み、そうでない場合はＳ５１２に戻って、Ｓ５１２〜Ｓ５１６の処理を繰り返す。
【００６０】
Ｓ５１８では、システム制御部２５０は、撮像素子の撮像面オートフォーカス（撮像面ＡＦ）の方式に合わせてＡＦ処理を行い、同時にＡＥ処理も行う。Ｓ５２０では、システム制御部２５０は、撮像部２２２の露光及び信号読み出しから記録媒体２９９に画像データを書き込むまでの一連の撮影処理の動作を実行する。
【００６１】
Ｓ５２２では、システム制御部２５０は、表示部１２８にライブビュー画像の表示を行わせる。Ｓ５２４では、システム制御部２５０は、第２シャッタースイッチ２６４がオンされているか否かを判定する。第２シャッタースイッチ２６４がオンされている場合は、そのまま待機し、第２シャッタースイッチ２６４がオンされていない場合は、図４のメインルーチンのＳ４１２にリターンする。
【００６２】
このように、本実施形態においては、セルフタイマー撮影モードで、且つ撮影条件が、撮影者が自分撮り撮影を行うための所定の条件を満たしている場合は、第２シャッタースイッチ２６４が押されると視聴覚報知サブルーチン（Ｓ５１４）を実行することによりユーザーへの報知を行う。ただし、本発明においては、セルフタイマー撮影モードが必須というわけではなく、セルフタイマー撮影モードでなくとも、撮影者が自分撮り撮影を行うための所定の条件を満たしている場合に、視聴覚報知サブルーチン（Ｓ５１４）を実行してもよい。その場合は、例えば、第１シャッタースイッチ２６２がオンされた時点で視聴覚報知サブルーチン（Ｓ５１４）を実行し、第２シャッタースイッチ２６４がオンされた時点で撮影が行われるようにすればよい。
【００６３】
なお、上記の説明では、ユーザーが自分撮り撮影を行う場合に、シャッターボタン１６１を押すことにより撮影を行う場合について説明した。しかし、本実施形態においては、表示部１２８がタッチパネル１２８ａを備えているので、シャッターボタン１６１の操作の代わりにこのタッチパネル１２８ａをタッチすることにより撮影が行われるようにしてもよい。タッチパネル１２８ａをシャッターレリーズとして用いることにより、自分撮りを行う場合のユーザーの利便性が向上する。
【００６４】
また、上記の説明では、Ｓ５１２において、撮影条件が条件（ａ），（ｂ）のいずれか一方を満たす場合に、視聴覚報知サブルーチン（Ｓ５１４）を実行している。しかし、単純にこれらの条件（ａ），（ｂ）の一方を満たすかではなく、条件（ａ），（ｂ）の両方を加味して、視聴覚報知サブルーチン（Ｓ５１４）を実行するか否かを決定するようにしてもよい。
【００６５】
次に、図５のＳ５１４で実行される視聴覚報知の動作について説明する。図６は、本実施形態における視聴覚報知のサブルーチンを示すフローチャートである。
【００６６】
まず、Ｓ６０２では、システム制御部２５０は、デジタルカメラ１００に装着されたレンズユニット２００の種類を判定する。
【００６７】
Ｓ６０４では、システム制御部２５０は、Ｓ６０２で判定されたレンズの種類により、視聴覚報知に用いる報知方法を決定する。ここで、本実施形態では、報知方法として、絞り込み駆動、シャッターの駆動、ミラーの駆動、レンズユニットの発光体の発光、アクセサリーユニットの発光体の発光、レンズユニットのズーム駆動の少なくとも１つを行うものとする。絞り込み駆動、シャッターの駆動、ミラーの駆動、ズーム駆動は、撮像部２２２までの被写体光の光路上の部材の駆動である。アクセサリーユニットの発光体の発光、レンズユニットの発光体の発光は、撮像部２２２までの被写体光の光路を囲む部材（光路を囲む円環状に配置された発光体）による報知動作である。また、上記の視聴覚報知のための絞り込み駆動、シャッターの駆動、ミラーの駆動、ズーム駆動は、自分撮り撮影以外の通常の撮影動作では行わない駆動動作を含む。
【００６８】
より具体的には、絞り込み駆動とは、レンズ制御部２０４と絞り駆動回路２０２を介してレンズユニット２００の絞り２０８を開いたり閉じたりする動作である。ユーザーには、撮影光軸方向のレンズ２０９の大きさが変化して見えることになる。シャッターの駆動とは、システム制御部２５０によってフォーカルプレーンシャッター２２１を開いたり閉じたりする動作である。ユーザーは撮影光軸方向のフォーカルプレーンシャッター２２１から音が聞こえることになる。ミラーの駆動とはシステム制御部２５０によって不図示のアクチュエーターを駆動することによりミラー２１２を上げたり下げたりする動作である。ユーザーは撮影光軸方向のミラー２１２から音が聞こえることになる。
【００６９】
レンズユニットの発光体の発光とは、レンズ制御部２０４と発光制御部２０５を介してレンズユニット２００の発光体２０７を光らせる動作である。ユーザーには、撮影光軸方向のレンズユニット２００に備えられた発光体２０７が光って見えることになる。アクセサリーユニットの発光体の発光とは、制御部２８４と発光制御部２９４を介してアクセサリーユニット２８５の発光体２９６を光らせる動作である。ユーザーには、レンズユニット２００の外周部に配置された撮影光軸方向のアクセサリーユニット２８５に備えられた発光体２９６が光って見えることになる。レンズユニットのズーム駆動とは、レンズ制御部２０４を介してレンズ２０９の位置を変位させる動作である。ユーザーには、撮影光軸方向のレンズユニット２００から音が聞こえることになる。
【００７０】
このように、絞り込み駆動、シャッターの駆動、ミラーの駆動、レンズユニットの発光体の発光、アクセサリーユニットの発光体の発光、レンズユニットのズーム駆動の少なくとも１つを行う。これにより、ユーザーの注意を引いてユーザーの視線を撮影光軸方向に向かせるように促すことが可能となる。
【００７１】
図６のフローチャートの説明に戻って、Ｓ６０６では、システム制御部２５０は、Ｓ６０４で決定された報知方法を判定する。そして、絞り込み駆動の場合はＳ６１２に、シャッターの駆動の場合はＳ６２２に、ミラーの駆動の場合はＳ６３２に進む。また、レンズユニットの発光体の発光の場合はＳ６４２に、アクセサリーユニットの発光体の発光の場合はＳ６５２に、レンズユニットのズーム駆動の場合はＳ６６２に進む。
【００７２】
Ｓ６１２では、システム制御部２５０は、レンズ制御部２０４と絞り駆動回路２０２を介して絞り２０８を閉じる。絞り値はユーザーに視認しやすいものであればよい。Ｓ６１４では、システム制御部２５０は、レンズ制御部２０４と絞り駆動回路２０２を介して絞り２０８を開く。Ｓ２１６では、システム制御部２５０は、絞り駆動が規定回数動作したか否かを判定する。規定回数動作した場合には、視聴覚報知のサブルーチンを終了する。そうでない場合にはＳ６１２に戻る。このようにＳ６１２からＳ６１６の処理により、絞り込み駆動が行われる。
【００７３】
Ｓ６２２では、システム制御部２５０は、フォーカルプレーンシャッター２２１を駆動する。Ｓ６２４では、システム制御部２５０は、フォーカルプレーンシャッター２２１が規定回数駆動されたか否かを判定する。規定回数駆動された場合は、視聴覚報知のサブルーチンを終了する。そうでない場合は、Ｓ６２２に戻る。このようにＳ６２２からＳ６２４の処理により、シャッター駆動が行われる。
【００７４】
Ｓ６３２では、システム制御部２５０は、不図示のアクチュエーターを駆動することにより、ミラー２１２を下げる。Ｓ６３４では、システム制御部２５０は、不図示のアクチュエーターを駆動することにより、ミラー１２を上げる。Ｓ２３６では、システム制御部２５０は、ミラーが規定回数駆動されたか否かを判定する。規定回数駆動された場合は、視聴覚報知のサブルーチンを終了する。そうでない場合は、Ｓ６３２に戻る。このようにＳ６３２からＳ６３６の処理により、ミラー駆動が行われる。
【００７５】
Ｓ６４２では、システム制御部２５０は、レンズ制御部２０４と発光制御部２０５を介して発光体２０７を光らせる。Ｓ６４４では、システム制御部２５０は、発光体２０７が規定回数発光したか否かを判定する。規定回数発光した場合は、視聴覚報知のサブルーチンを終了する。そうでない場合は、Ｓ６４２に戻る。このようにＳ６４２からＳ６４４の処理により、レンズユニットの発光体の発光が行われる。
【００７６】
Ｓ６５２では、システム制御部２５０は、制御部２８４と発光制御部２９４を介して発光体２９６を光らせる。Ｓ６５４では、システム制御部２５０は、発光体２９６が規定回数発光したか否かを判定する。規定回数発光した場合は、視聴覚報知のサブルーチンを終了する。そうでない場合は、Ｓ６５２に戻る。このようにＳ６５２からＳ６５４の処理によりアクセサリーユニットの発光体の発光が行われる。
【００７７】
Ｓ６６２では、システム制御部２５０は、レンズ制御部２０４とＡＦ駆動回路２０３を介してレンズ２０９の位置を無限端に変位させる。Ｓ６６４では、システム制御回路２５０は、レンズ制御回路２０４とＡＦ駆動回路２０３を介してレンズ２０９の位置を至近端に変位させる。Ｓ６６６では、システム制御部２５０は、ズーム駆動が規定回数行われたか否かを判定する。規定回数行われた場合は、視聴覚報知のサブルーチンを終了する。そうでない場合は、Ｓ６６２に戻る。このようにＳ６６２からＳ６６６の処理により、レンズユニットのズーム駆動が行われる。
【００７８】
以上のようにして、自分撮りモードでは、通常撮影の動作とは別に、視覚、聴覚による報知を行うことで、ユーザーの注意を引いてユーザーの視線がレンズの方向へ向くことを促し、自分撮りの失敗画像を減らすことが可能となる。
【００７９】
（第２の実施形態）
第１の実施形態では、自分撮りモードでは、通常撮影の動作とは別に、視覚、聴覚による報知を行うことで、ユーザーの視線がレンズの方向へ向くことを促し、失敗画像を減らす方法について説明した。
【００８０】
しかし、絞り込み駆動、シャッターの駆動、ミラーの駆動、レンズユニットの発光体の発光、アクセサリーユニットの発光体の発光、レンズユニットのズーム駆動などの視覚、聴覚による報知を行っている間、表示部１２８にライブビュー画像を表示したままでは、ライブビュー画像がちらついてしまう。そのため、逆に表示部１２８がユーザーの注意を引いてしまい、ユーザーの視線がそちらに向いてしまうことが考えられる。
【００８１】
そこで、本実施形態では、視覚、聴覚による報知を行っている間、表示部１２８の表示をホールド（直前の表示を維持）する。
【００８２】
具体的には、図６のＳ６０２の前に、表示部１２８の表示をホールドする。これにより、表示部１２８のライブビュー画像が一時的に更新がされなくなる。そして、視覚、聴覚による報知が終了した後に、表示部１２８の表示の更新を再開し、視聴覚報知のサブルーチン処理を終了する。
【００８３】
なお、上記では、表示部１２８の表示をホールドするように説明したが、視覚、聴覚による報知を行っている間は、表示部１２８の表示を停止させてもよい。
【００８４】
以上のようにして、自分撮りモードでは、通常撮影の動作とは別に、視覚、聴覚による報知を行うことで、ユーザーの注意を引いてユーザーの視線がレンズの方向へ向くことを促し、自分撮りの失敗画像を減らすことが可能となる。
【００８５】
（第３の実施形態）
第１の実施形態で説明したように、ユーザーは、ファインダー２１６を覗くことにより、光学的に被写体を視認することができる。しかし、ファインダー２１６を覗いていない場合には、外部の光がファインダー２１６を通してカメラ１００内に入光する。ミラー２１２がダウンしている状態では、この外部からの入光はレンズユニット２００に抜けていく。この入光の輝度が大きい場合には、自分撮り時にユーザーがカメラ正面からレンズユニット２００を見たときに、ファインダー２１６から入光した光の明るさを十分に認識出来る。この時に、ミラー２１２を上下動させると、ユーザーは撮影光軸方向のミラー２１２から音が聞こえるだけでなく、ファインダー２１６から入光した光が見える状態と見えない状態が切り替わることになる。そこで、本実施形態では、カメラの周囲が明るい場合には、視覚、聴覚による報知をミラーの駆動で行う様にする。
【００８６】
この場合のフローチャートを図７に示す。図７のフローチャートについて、第１及び第２の実施形態と異なる部分についてのみ説明する。
【００８７】
Ｓ７０２では、システム制御部２５０は、ＡＥセンサ２１７に外光の明るさを測定させる。この時、ミラー２１２は上がった状態であるため、外部からファインダー２１６を通して入光した光の明るさを判定することになる。Ｓ７０４では、システム制御部２５０は、Ｓ７０２で測定された明るさを判定する。明るいと判定した場合にはＳ７０６に進み、そうでない場合にはＳ６０２に進む。Ｓ７０６では、システム制御部２５０は、報知方法をミラーの駆動に設定する。
【００８８】
このように、ファインダー２１６を通して入光した光が明るい場合には、ユーザーへの報知の方法をミラーの駆動とすることにより、ユーザーの視線をレンズの方向に向かせるのに有効な報知が可能となる。
【００８９】
以上のようにして、自分撮りモードでは、通常撮影の動作とは別に、ミラーの上下による報知を行うことで、ユーザーの注意を引いてユーザーの視線がレンズの方向へ向くことを促し、自分撮りの失敗画像を減らすことが可能となる。
【００９０】
以上、本発明の好ましい実施形態について説明したが、本発明はこれらの実施形態に限定されず、その要旨の範囲内で種々の変形及び変更が可能である。
【００９１】
なお、システム制御部２５０が行うものとして説明した上述の各種制御は、１つのハードウェアが行ってもよいし、複数のハードウェアが処理を分担することで、装置全体の制御を行ってもよい。
【００９２】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００９３】
また、上述した実施形態においては、本発明をデジタルカメラに適用した場合を例にして説明したが、これはこの例に限定されず、撮像手段を有する機器であれば適用可能である。すなわち、本発明はパーソナルコンピュータやＰＤＡ、携帯電話端末やタブレット端末、スマートフォンなどに適用可能である。
【００９４】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００９５】
１００：デジタルカメラ、１２６：バリアングルモニタ部、１２７：ヒンジ部、１２８：表示部、２００：レンズユニット、２０４レンズ制御部、２５０：システム制御部、２８４：制御部、２８５：アクセサリーユニット
【図１】
2019016956.tif 000003
【図２】
2019016956.tif 000004
【図３】
2019016956.tif 000005
【図４】
2019016956.tif 000006
【図５】
2019016956.tif 000007
【図６】
2019016956.tif 000008
【図７】
2019016956.tif 000009